(57)【要約】【課題】  陰極線管の管内放電によりサージ電流がアースライン、或いは消磁コイルに誘起した場合、マイクロコンピュータ等の制御回路や各種信号処理回路に悪影響を及ぼすため、サージ電流を制御回路や信号処理回路に流れないようにした保護回路を提供する。【解決手段】  陰極線管を有する表示装置であって、陰極線管に供給する信号を処理する信号処理回路（Ｖ／Ｃ／Ｄ回路）３、動作制御用の制御回路（マイコン）１０と、電源回路１１に接続された消磁コイル８とを含み、陰極線管の管内放電により誘起されたサージ電流が、アースラインや消磁コイル８を介して信号処理回路及び制御回路に流れないようにするため、サージ電流が流入するアース点ａ１，ａ２とサージ電流流出用のアース点Ｅ０間に、流入サージ電流が所定のレベルを越えたときに導通するダイオード２１，２２を接続したことを特徴とする。【選択図】  図１
2006019922.tif 000002
【特許請求の範囲】
【請求項１】
陰極線管を有する表示装置の保護回路であって、
前記表示装置は、前記陰極線管に供給する信号を処理するための信号処理回路と、動作制御用の制御回路とを含み、
前記陰極線管の管内放電により誘起されたサージ電流が、アースラインを介して前記信号処理回路及び前記制御回路に流れないようにするため、前記サージ電流が流入するアース点と前記サージ電流流出用の所定のアース点間に、前記流入サージ電流が所定のレベルを越えたときに導通する単方向素子を接続したことを特徴とする表示装置の保護回路。
【請求項２】
前記信号処理回路は、映像・色信号処理及び偏向用回路にて成り、前記制御回路はマイクロコンピュータを含む回路にて成ることを特徴とする請求項１記載の表示装置の保護回路。
【請求項３】
前記所定のアース点は、前記陰極線管の偏向回路に設けられたアース点であることを特徴とする請求項１記載の表示装置の保護回路。
【請求項４】
前記単方向素子は、ダイオードであることを特徴とする請求項１記載の表示装置の保護回路。
【請求項５】
陰極線管を有する表示装置の保護回路であって、
前記陰極線管に供給する映像信号を処理して出力する信号処理回路と、
前記信号処理回路からの出力映像信号を前記陰極線管のカソードに供給するＣＲＴドライブ回路と、
前記ＣＲＴドライブ回路に設けられ、前記陰極線管の管内放電によるサージ電流を吸収する放電ギャップ素子と、
前記表示装置の動作を制御するための制御回路と、
前記表示装置の各部に動作電圧を供給するための電源回路と、
前記電源回路に接続され、前記陰極線管に設けられた消磁コイルに消磁電流を供給する消磁回路と、
前記陰極線管の管内放電により前記放電ギャップ素子のアース点及び前記消磁コイルに誘起されたサージ電流が、前記信号処理回路及び前記制御回路に流れないようにするため、前記サージ電流が流入するアース点と前記サージ電流流出用の所定のアース点間に接続され、前記流入サージ電流が所定のレベルを越えたときに導通する単方向素子とを具備したことを特徴とする表示装置の保護回路。
【請求項６】
前記単方向素子は、前記制御回路及び前記電源回路のアース点と前記サージ電流流出用の所定のアース点間に接続された第１のダイオードと、
前記放電ギャップ素子のアース点と前記サージ電流流出用の所定のアース点間に接続された第２のダイオードとから成ることを特徴とする請求項５記載の表示装置の保護回路。
【請求項７】
前記サージ電流流出用の所定のアース点は、前記陰極線管の偏向回路に設けられたアース点であることを特徴とする請求項５記載の表示装置の保護回路。
【発明の詳細な説明】
【技術分野】
【０００１】
本発明は、陰極線管（ＣＲＴ）を使用する表示装置、例えばテレビジョン受像機やディスプレイモニター等の保護回路に関し、特にＣＲＴの管内放電時の保護回路に関する。
【背景技術】
【０００２】
従来、陰極線管（ＣＲＴ）を使用した表示装置、例えばテレビジョン受像機においては、ＣＲＴの管内放電が発生した場合の保護対策として、ＣＲＴのカソードとアース間にサージ吸収用の放電ギャップを設けている。放電キャップはＣＲＴのソケット部や、映像出力回路を有するＣＲＴドライブ基板に設けられ、管内放電が発生した場合に前記放電ギャップを介してサージ電流をアース点に流すようにしている。
【０００３】
しかしながら、サージ電流が発生した場合、放電ギャップで全て吸収することはできず、放電ギャップのアース点からＣＲＴドライブ基板のグランドに流れ、さらには信号回路基板のグランドやマイクロコンピュータ（以下マイコンと称す）用の基板のグランドに流れ、信号処理回路の破壊を招いたり、マイコンのラッチアップ等が発生し、回路が正常に動作しなくなるという事態を招くことがあった。
【０００４】
また、ＣＲＴの外周には消磁コイルが取付けられているが、管内放電が発生した場合に、この管内放電によって消磁コイルにサージ電流が誘起し、電源回路のグランドから前記マイコン等のグランドに流れることがあった。
【０００５】
このため、従来においては例えば特許文献１に示すように、ＣＲＴのカソードと映像出力回路の電源端子間にツェナーダイオード（又はツェナーダイオード直列にダイオード）を接続して保護するようにしたものもある。しかしながら、電源ラインに保護用のツェナーダイオードを接続する方法はマイコンや信号処理用のＩＣ（集積回路）それぞれに対して配置する必要があり、コストアップになっていた。又、サージ電流の影響が及ばないように回路基板や部品を配置することも考えられるが、小型化が進む中では、基板や部品の配置でサージ対策するにも限界がある。
【特許文献１】特開平１０−７８７６４号公報（図１）
【発明の開示】
【発明が解決しようとする課題】
【０００６】
上記したように、ＣＲＴに管内放電が発生した場合、放電ギャップによりサージ電流を吸収するようにしているが、放電ギャップで全て吸収することはできず、放電ギャップのアース点から信号回路基板のグランドやマイクロコンピュータ基板のグランドにサージ電流が流れ、回路が正常に動作しなくなるという事態を招くことがあった。また、特許文献１等のように、電源ラインに保護用のツェナーダイオードを接続する方法では、マイコンや信号処理用のＩＣ（集積回路）それぞれに対してツェナーダイオード等の保護素子を配置する必要があり、コストアップになっていた。又、消磁コイルに誘起したサージ電流を防ぐための有効な手段がなかった。
【０００７】
そこで、本発明は回路のコストアップや回路構成の複雑化を回避して有効にサージ電流による影響を防ぐことができる表示装置の保護回路を提供することを目的とする。
【課題を解決するための手段】
【０００８】
本発明は、陰極線管を有する表示装置の保護回路であって、前記表示装置は、前記陰極線管に供給する信号を処理するための信号処理回路と、動作制御用の制御回路とを含み、前記陰極線管の管内放電により誘起されたサージ電流が、アースラインを介して前記信号処理回路及び前記制御回路に流れないようにするため、前記サージ電流が流入するアース点と前記サージ電流流出用の所定のアース点間に、前記流入サージ電流が所定のレベルを越えたときに導通する単方向素子を接続したことを特徴とする。
【０００９】
また、本発明は、陰極線管を有する表示装置の保護回路であって、前記陰極線管に供給する映像信号を処理して出力する信号処理回路と、前記信号処理回路からの出力映像信号を前記陰極線管のカソードに供給するＣＲＴドライブ回路と、前記ＣＲＴドライブ回路に設けられ、前記陰極線管の管内放電によるサージ電流を吸収する放電ギャップ素子と、前記表示装置の動作を制御するための制御回路と、前記表示装置の各部に動作電圧を供給するための電源回路と、前記電源回路に接続され、前記陰極線管に設けられた消磁コイルに消磁電流を供給する消磁回路と、前記陰極線管の管内放電により前記放電ギャップ素子のアース点及び前記消磁コイルに誘起されたサージ電流が、前記信号処理回路及び前記制御回路に流れないようにするため、前記サージ電流が流入するアース点と前記サージ電流流出用の所定のアース点間に接続され、前記流入サージ電流が所定のレベルを越えたときに導通する単方向素子とを具備したことを特徴とする。
【発明の効果】
【００１０】
本発明によれば、放電ギャップ素子のアース点或いは消磁コイルに誘起されたサージ電流の流入路に発生したサージ電流は、単方向素子（ダイオード２１，２２）を介してサージ電流流出用のアース点Ｅ０へと流れ出て行くため、信号処理回路３や、制御回路（マイコン１０）にはサージ電流が流れないようにすることができ、回路の誤動作を防止することができる。
【発明を実施するための最良の形態】
【００１１】
以下、図面を参照しながら本発明に係る表示装置の保護回路の一実施形態について詳細に説明する。
【実施例１】
【００１２】
図１は、この発明の保護回路の第一の実施形態を説明するためのブロック図である。なお以下全ての図面において、同一の構成要素は同一の符号を付す。
【００１３】
図１は、表示装置としてテレビジョン受像機を例にしたものである。図１において、１はアンテナ、２はチューナであり、アンテナ１で受信した信号の中から任意のチャンネルの放送信号がチューナ２よって選局される。チューナ２では所定のチャンネルが選局され、中間周波数への変換、及び映像信号、音声信号の復調が行われる。
【００１４】
復調された映像信号は、次段の映像・色信号処理及び偏向用回路（Video／Chroma／Deflection回路）３に供給される（以下、この映像信号・色差信号処理及び偏向用回路３をＶ／Ｃ／Ｄ回路３と称す）。Ｖ／Ｃ／Ｄ回路３は、輝度信号と色差信号の分離、水平、垂直同期信号（Ｈ，Ｖ）の分離、及びＲ（赤），Ｇ（緑），Ｂ（青）の映像出力信号の生成等を行うもので、一般的に１チップの集積回路で構成される。
【００１５】
Ｖ／Ｃ／Ｄ回路３からのＲ，Ｇ，Ｂ信号は、次段のＣＲＴドライブ回路４に供給され、Ｒ，Ｇ，Ｂ信号はそれぞれＲ，Ｇ，Ｂ用の出力回路４ｒ，４ｇ，４ｂで増幅され、ＣＲＴ５のカソードに印加される。また、ＣＲＴ５のそれぞれカソードとアース間には放電ギャップ素子４１が設けられ、ＣＲＴ５の管内放電等によるサージ電流をこの放電ギャップ素子４１に流すようにしている。尚、ＣＲＴ５の外周部には導電性の被膜６（以下、導電膜６）が塗布され、ネック部の外周には偏向ヨーク７が取付けられ、コーン部の外周には消磁コイル８が取付けられている。偏向ヨーク７は水平・垂直偏向コイルを含み、ＣＲＴ５の電子銃から放出された電子ビームの偏向走査を行う。
【００１６】
又、Ｖ／Ｃ／Ｄ回路３から分離された水平・垂直同期信号（Ｈ，Ｖ）は、偏向回路９に供給される。偏向回路９は、垂直ドライブ回路、垂直出力回路、及び水平ドライブ回路、水平出力回路、高圧発生回路を含み、前記垂直出力回路からは前記偏向ヨーク７の垂直偏向コイル７１に垂直偏向電流を供給する。
【００１７】
偏向回路９の水平出力回路９１は、水平出力トランジスタを含み、水平偏向コイル７２に水平偏向電流を供給する。又、水平偏向コイル７２には、Ｓ字補正用のコンデンサ９２の一端が接続され、水平出力トランジスタのエミッタ及びＳ字補正用コンデンサ９２の他端はアースされている。
【００１８】
さらに、テレビジョン受像機には、各種の制御を行うためマイクロコンピュータ１０（以下マイコン１０と称す）が設けられている。又、テレビジョン受像機に動作用の電圧を供給する電源回路１１が設けられている。電源回路１１は、主電源回路１２とサブ電源回路１３で構成され、主電源回路１２からは偏向回路９等へ比較的高い電源電圧＋Ｂ１を供給し、サブ電源回路１３からはマイコン１０やリモコン受光回路（図示せず）へ比較的低い電圧＋Ｂ２を供給する。前記主電源回路１２は、主電源スイッチ１４のオン・オフによってオン・オフ動作し、サブ電源回路１３は、前記マイコン１０を常時動作させるため、主電源スイッチ１４のオン・オフに拘わらず常に動作している。尚、サブ電源回路１３及び主電源回路１２の両者をオフできるように、電源スイッチ１５を設けてもよい。
【００１９】
又、前記主電源回路１２の入力端は、消磁回路１６を介して前記消磁コイル８に接続されており、主電源スイッチ１４のオン時に、消磁コイル８に徐々に減衰する交番消磁電流を流すようにしている。
【００２０】
次に、本発明の保護回路について説明する。図１において、放電ギャップ４１、ＣＲＴドライブ回路４、Ｖ／Ｖ／Ｄ回路３のそれぞれのグランドパターンはアースラインＥ１で接続され、マイコン１０及びサブ電源回路１３等のグランドパターンはアースラインＥ２で接続されている。そして、前記放電ギャップ４１のアース点と前記偏向回路９のアース点Ｅ０との間には、ダイオード２１が接続され、前記サブ電源回路１３のアース点と前記偏向回路９のアース点Ｅ０との間には、ダイオード２２が接続されている。
【００２１】
前記ダイオード２１，２２は、単方向素子であり、ＣＲＴ５の管内放電により誘起されたサージ電流の流入路と偏向回路９のアース点Ｅ０にそれぞれ接続され、流入したサージ電流が所定のレベルを越えたときに導通するものである。ダイオード２１は放電ギャップ４１のアース点に生じるサージ電流をアース点Ｅ０に流し、ダイオード２２は消磁コイル８から電源回路１１を介して生じるサージ電流をアース点Ｅ０に流すものであり、アノードをサージ電流の流入路側に接続し、カソードをアース点Ｅ０に接続している。又、アース点Ｅ０に流れたサージ電流は、Ｓ字補正コンデンサ９２から水平偏向コイル７２に誘導され、ＣＲＴ５の導電膜６へ流れ、アースされることになる。
【００２２】
ＣＲＴ５の管内放電により誘起されたサージ電流の流れは、点線Ａで示すように、放電ギャップ４１のアース点からダイオード２１を介してアース点Ｅ０に流れるルートと、点線Ｂで示すように、消磁コイル８からサブ電源回路１３のアース点及びダイオード２２を介してアース点Ｅ０に流れるルートがある。
【００２３】
図２は、消磁コイル８からサブ電源回路1３のアース点を介してダイオード２２へ流れるサージ電流路を説明するための図であり、前記サブ電源回路１３を詳細に示した回路図である。
【００２４】
サブ電源回路１３は、トランス３１を含み、その1次側（ＨＯＴ側）と２次側（ＣＯＬＤ側）の回路からなる。１次側は、ＡＣラインに接続されたダイオードブリッジ整流回路３２と、平滑コンデンサ３３、及びトランス３１の１次巻線に接続されたスイッチング制御回路３４を含んでいる。又、２次側は、トランス３１の２次巻線に接続された出力整流回路３５を含んでいる。
【００２５】
さらに出力整流回路３５と前記スイッチング制御回路３４間には、フォトダイオード３６とフォトトランジスタ３７によるフィードバック回路が設けられ、出力整流回路３５からの出力電圧の変化をスイッチング制御回路３４に伝えて出力電圧の安定化を図るようにしている。また、平滑コンデンサ３３及びフォトトランジスタ３７のアース側と、出力整流回路３５及びフォトダイオード３６のアース側はコンデンサ３８で結合されている。
【００２６】
前記出力整流回路３５からは、比較的低電圧（例えば５Ｖ）の電源電圧＋Ｂ２が出力され、マイコン１０に電源電圧を供給し、サブ電源回路１３及びマイコン１０のアースラインＥ２と前記偏向回路９のアース点Ｅ０との間には、ダイオード２２が接続されている。
【００２７】
又、図２において、ＡＣライン間には消磁回路１６を介して消磁コイル８が接続されている。消磁回路１６は、例えば正の温度特性を有するサーミスタと負の温度特性を有するサーミスタを組み合わせて構成されている。
【００２８】
ＣＲＴ５に管内放電が生じたとき、消磁コイル８に誘起したサージ電流は、点線Ｂで示すように、消磁コイル８からダイオードブリッジ整流回路３２、平滑コンデンサ３３、コンデンサ３８、出力整流回路３５のアース、ダイオード２２を介してアース点Ｅ０へと流れる。
【００２９】
次に本発明の保護回路の動作について、図３，図４を参照して説明する。図３は、ダイオード２１，２２を設けた場合のサージ電流の流れを説明するものであり、図４はダイオード２１，２３が無い場合のサージ電流の流れを説明するものである。
【００３０】
図３は、ＣＲＴドライブ回路４、Ｖ／Ｃ／Ｄ回路３、偏向回路９、マイコン１０、電源回路１１の各回路と、それら回路間のアースラインＥ１，Ｅ２と、ダイオード２１，２２の配置を示したものである。ＣＲＴドライブ回路４の放電ギャップ４１のアース点から流入するサージ電流の流入路ａ１と偏向回路９のアース点Ｅ０との間にはダイオード２１が接続され、消磁コイル８に誘起して電源回路１１に流れるサージ電流の流入路ａ２と偏向回路９のアース点Ｅ０との間にはダイオード２２が接続されている。
【００３１】
これにより、前記流入路ａ１，ａ２に発生したサージ電流は、それぞれダイオード２１及びダイオード２２を介してアース点Ｅ０へと流れ出て行くため、Ｖ／Ｃ／Ｄ回路３のような信号処理回路や、マイコン１０にはサージ電流が流れないようにすることができ、マイコン１０のラッチアップや、Ｖ／Ｃ／Ｄ回路３にノイズが乗って誤動作するといった事態を回避することができる。つまり、アースラインＥ１，Ｅ２のインピーダンスの方がダイオード２１，２２の導通時のインピーダンスよりも高いため、サージ電流はダイオード２１，２２へと流れ、サージ電流の影響を受けやすい回路３，１０へは流れないように迂回させることができる。
【００３２】
これに対し、図４で示すようにダイオード２１，２２が無い場合は、サージ電流がマイコン１０やＶ／Ｃ／Ｄ回路３にも流れ易くなることになる。したがって、本発明のダイオード２１，２２を設けたことによる保護機能はきわめて有効となる。
【００３３】
尚、以上の説明においては、サージ電流の流れ出るアース点Ｅ０を偏向回路９のアース点としたが、サージの影響を受けにくい回路のアース点に流れ出るようにしても良い。又、単方向素子としては、ダイオード以外にツェナーダイオードを用いることもできる。さらに、本発明の例としてテレビジョン受像機を例に述べたが、ＣＲＴを使用したモニタディスプレイ装置にも適用できることは言うまでもない。
【図面の簡単な説明】
【００３４】
【図１】本発明の表示装置の保護回路の一実施例を示すブロック図。
【図２】図１のサブ電源回路１３とその周辺部を示す回路図。
【図３】本発明の保護回路の動作を説明する動作説明図。
【図４】本発明のダイオード２１，２２が無い場合の動作を説明する動作説明図。
【符号の説明】
【００３５】
１  アンテナ
２  チューナ
３  Ｖ／Ｃ／Ｄ回路（信号処理回路）
４  ＣＲＴドライブ回路
５  ＣＲＴ
６  導電膜
７  偏向ヨーク
８  消磁コイル
９  偏向回路
１０  マイクロコンピュータ
１１  電源回路
１２  主電源回路
１３  サブ電源回路
１６  消磁回路
２１，２２  ダイオード
４１  放電ギャップ
【図１】
2006019922.tif 000003
【図２】
2006019922.tif 000004
【図３】
2006019922.tif 000005
【図４】
2006019922.tif 000006